(57)【要約】      （修正有）【課題】栽培トレーで栽培されている植物に液肥の結晶が付着することを抑制することができる配管設備を提供する。【解決手段】配管設備は、それぞれ液肥が流れる上段の栽培トレーと下段の栽培トレーとを接続する配管設備であって、上段の栽培トレーの下部に設けられた液肥排出管４ｆが差し込まれるカップ部８１と、カップ部８１から下方に延び、下段の栽培トレー内に差し込まれるパイプ部８４と、を備え、カップ部８１は、外筒部８１１と、外筒部８１１内に収納され、液肥排出管４ｆが差し込まれる内筒８５を備え、内筒８５の上縁部８５ａは、外筒部８１１の上縁部８１１ａよりも下方に位置している。【選択図】図６
2019208464.tif 000002
【特許請求の範囲】
【請求項１】
それぞれ液肥が流れる上段の栽培トレーと下段の栽培トレーとを接続する配管設備であって、
前記上段の栽培トレーの下部に設けられた液肥排出管が差し込まれるカップ部と、
前記カップ部から下方に延び、前記下段の栽培トレー内に差し込まれるパイプ部と、を備え、
前記カップ部は、外筒部と、前記外筒部内に収納され、前記液肥排出管が差し込まれる内筒を備え、前記内筒の上縁部は、前記外筒部の上縁部よりも下方に位置することを特徴とする配管設備。
【請求項２】
前記パイプ部は、前記下段の栽培トレー内に差し込まれる先端部が斜めに切断されることを特徴とする請求項１に記載の配管設備。
【請求項３】
前記カップ部は、前記外筒部の下部に漏斗状部を備え、前記内筒は、前記漏斗状部に支持された状態で前記外筒部内に収納されることを特徴とする請求項１又は２に記載の配管設備。
【請求項４】
複数の植物栽培装置を含む水耕栽培システムであって、
前記複数の植物栽培装置は、それぞれ、
上下方向に配置され、液肥が流れる複数の栽培トレーと、
前記複数の栽培トレーのうち、第一の栽培トレーと、前記第一のトレーの下段に設置された第二の栽培トレーとを接続する配管設備とを含み、
前記配管設備は、
前記第一の栽培トレーの下部に設けられた液肥排出管が差し込まれるカップ部と、
前記カップ部から下方に延び、前記第二の栽培トレー内に差し込まれるパイプ部と、を備え、
前記カップ部は、外筒部と、前記外筒部内に収納され、前記液肥排出管が差し込まれる内筒を備え、前記内筒の上縁部は、前記外筒部の上縁部よりも下方に位置する
ことを特徴とする水耕栽培システム。
【発明の詳細な説明】
【技術分野】
【０００１】
本発明は、配管設備及び水耕栽培システムに関する。
【背景技術】
【０００２】
従来、液状物を流すための配管を接続する構造が種々提案されている。例えば、液状物が流出する管状部を有するオス型コネクタに接続されるメス型コネクタが知られている（特許文献１参照）。
【先行技術文献】
【特許文献】
【０００３】
【特許文献１】特開２０１２−２３２０１９号公報
【発明の概要】
【発明が解決しようとする課題】
【０００４】
ところで、昨今、水耕栽培が普及しており、それぞれ液肥が流れ、上下方向に多段に配置された複数の栽培トレーを配管によって接続し、液肥を循環させるように組まれた植物栽培装置が稼働している。このような植物栽培装置では、栽培トレーを洗浄したり、栽培工程に応じて栽培トレーを移動させたりする場合に、配管と栽培トレーとを容易に分離状態とできると都合がよい。このため、栽培トレー側に設けた液肥排出管の径と配管側の径の差を大きくし、一方の管を他方の管に緩く嵌め込む形式の配管の接続が採用されることがある。
【０００５】
しかしながら、このような配管の接続であると、配管の継ぎ目で液肥の飛沫が飛散し、飛散した液肥が結晶化して配管の内外に付着することがある。付着した結晶は、濃縮された液肥であるため、これが植物体に付着すると植物体を損傷させる可能性がある。また、結晶自体が異物であるため、結晶は植物栽培装置の汚れとなる。特許文献１は、このような結晶の落下等を抑制する観点で提案されたものではなく、また、オス型コネクタとメス型コネクタとを嵌合させる形式であるため、その脱着が煩雑であり、水耕栽培を行う植物栽培装置には採用しづらい。
【０００６】
１つの側面では、本発明は、栽培トレーで栽培されている植物や植物栽培装置に液肥の結晶が付着することを抑制することができる配管設備を提供することを目的とする。
【課題を解決するための手段】
【０００７】
１つの態様では、配管設備は、それぞれ液肥が流れる上段の栽培トレーと下段の栽培トレーとを接続する配管設備であって、前記上段の栽培トレーの下部に設けられた液肥排出管が差し込まれるカップ部と、前記カップ部から下方に延び、前記下段の栽培トレー内に差し込まれるパイプ部と、を備え、前記カップ部は、外筒部と、前記外筒部内に収納され、前記液肥排出管が差し込まれる内筒を備え、前記内筒の上縁部は、前記外筒部の上縁部よりも下方に位置している。
【０００８】
他の態様では、水耕栽培システムは、複数の植物栽培装置を含む水耕栽培システムであって、前記複数の植物栽培装置は、それぞれ、上下方向に配置され、液肥が流れる複数の栽培トレーと、前記複数の栽培トレーのうち、第一の栽培トレーと、前記第一のトレーの下段に設置された第二の栽培トレーとを接続する配管設備とを含み、前記配管設備は、前記第一の栽培トレーの下部に設けられた液肥排出管が差し込まれるカップ部と、前記カップ部から下方に延び、前記第二の栽培トレー内に差し込まれるパイプ部と、を備え、前記カップ部は、外筒部と、前記外筒部内に収納され、前記液肥排出管が差し込まれる内筒を備え、前記内筒の上縁部は、前記外筒部の上縁部よりも下方に位置している。
【発明の効果】
【０００９】
本発明は、栽培トレーで栽培されている植物や植物栽培装置に液肥の結晶が付着することを抑制することができる配管設備を提供することができる。
【図面の簡単な説明】
【００１０】
【図１】図１は実施形態の配管設備が装備される植物栽培装置の概略構成を示す斜視図である。
【図２】図２は実施形態の植物栽培装置が備える栽培ユニットの配置を示す説明図である。
【図３】図３は実施形態の植物栽培装置が備える栽培トレー及びその搬送具の一例を示す分解斜視図である。
【図４】図４（Ａ）は実施形態の上段の栽培トレーと下段の栽培トレーとを接続した状態の配管設備を示す説明図であり、図４（Ｂ）は実施形態の配管設備を縮めた状態を示す説明図である。
【図５】図５は実施形態の配管設備の上面図である。
【図６】図６は実施形態の配管設備の図５におけるＸ−Ｘ線断面図である。
【図７】図７は実施形態の植物栽培装置の液肥供給系の一例を示す説明図である。
【発明を実施するための形態】
【００１１】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されていたり、寸法が実際よりも誇張されて描かれていたりする場合がある。
【００１２】
図１、図２では、栽培トレー４と、その上に配置される照明器具５を有する栽培ユニット３を栽培ラック２内で高さ方向に多段に取り付けて植物栽培装置１としている。図１では、閉鎖空間である植物栽培室、例えばクリーンルーム内に平行して設けられた第１通路Ａにそれぞれ沿うように植物栽培装置１Ａ、１Ｂが設置されている。植物栽培装置１Ａ、１Ｂは、第１通路Ａに対してほぼ直交する奥行き方向の第２通路Ｂに沿って、背中合わせの状態で設置されている。植物栽培装置１を真上から見下ろした場合の第１通路Ａは、栽培トレー４の取り出し、取り付け作業が行われる領域であり、以下の説明において、第１通路Ａ側を前側と表現する場合がある。
【００１３】
以下に説明する植物栽培装置１は主に水耕栽培に使用される。栽培する植物としては、例えば葉物野菜が考えられるが、当然ながら葉物野菜以外の植物を栽培対象としても構わない。
【００１４】
植物栽培装置１は栽培ラック２を有している。栽培ラック２は、骨組み構造を有し、第１通路Ａに沿って複数の支柱２ａが間隔をおいて床面Ｅ上に取り付けられている。支柱２ａは床面Ｅに対して略垂直に立てられる。また、第２通路Ｂに沿う行方向に隣接する複数本の支柱２ａは、複数箇所で第１の梁２ｂを介して互いに横方向に支えられ、第１の梁２ｂと支柱２ａは例えばネジ、リベット等により固定されている。
【００１５】
第１通路Ａに沿って隣り合う２本の支柱２ａには、第１通路Ａから見る図２の正面図に例示するように、高さ方向に間隔をおいて配置される複数本の第２の梁２ｃが横方向に渡され、支柱２ａと第２の梁２ｃは例えばネジ、リベット等により固定されている。高さ方向に配置される複数の第２の梁２ｃには、栽培トレー４と照明器具５が取り付けられる。照明器具５は、蛍光管５ｂを保持した取付部材５ａを備える。照明器具５は取付部材５ａを介して第２の梁２ｃに取付られている。
【００１６】
次に、栽培トレー４とこれを搬送するための搬送器具６について、図２の正面図と図３の斜視図を参照して説明する。
【００１７】
栽培トレー４は、横に長い凹状の栽培容器４ａとその上部の開口を覆う長方形の平板状の蓋体４ｂを有し、搬送器具６を用いて栽培ラック２に搬入され、栽培ラック２から搬出される。
【００１８】
搬送器具６は、第２通路Ｂに沿った奥行き方向に隣接する複数の栽培ラック２の第２の梁２ｃの上に渡されるレール７の上を滑って前後方向、即ち第２通路Ｂに沿った奥行き方向に移動することができる。レール７は、断面が四角形状であり、第２の梁２ｃの上で幅方向に間隔をおいて平行に少なくとも２本取り付けられている。搬送器具６は、平面形状が略四角形の枠状に形成され、その両側には、レール７の上面と側面の角に内側から嵌め合わされる摺動部６ａがレール７に沿うことができるように直線状に形成されている。
【００１９】
搬送器具６の両側の摺動部６ａのそれぞれの上には、搬送器具６の前端部及び後端部に沿ってそれぞれ栽培トレー４が横長に置かれる部分を有する。具体的に、摺動部６ａには、栽培トレー４を嵌め入れる容器嵌合部６ｂが第１通路Ａ側、即ち正面側から見て、前後に２個ずつ設けられている。これにより、複数の栽培トレー４が搬送器具６の上に位置決めされて取り付けられる。
【００２０】
また、第１通路Ａから見て、搬送器具６の前端にはハンドル６ｃが取り付けられている。枠状の搬送器具６の中央寄りの部分には、補強用梁６ｄが取り付けられている。
【００２１】
栽培トレー４を栽培ラック２の中に収納する場合、作業者は、まず、栽培トレー４を搬送器具６の容器嵌合部６ｂに上から嵌め合わせ、その後、第１通路Ａ側から搬送器具６の摺動部６ａの後端部を栽培ラック２内のレール７の上に載せる。さらに、作業者は、搬送器具６のハンドル６ｃに手を添えて搬送器具６を押し込みながら摺動部６ａをレール７上に滑らせ、設定位置で停止させる。これにより、栽培ラック２に対する栽培トレー４の取り付け作業は終了する。これに対し、栽培トレー４を栽培ラック２から取り出す場合には、作業者はハンドル６ｃを手で握りながら第１通路Ａに向けて搬送器具６を引き出し、搬送器具６の摺動部６ａをレール７の上に滑らせ、さらに搬送器具６を支持しながら、栽培トレー４を搬送器具６ごと栽培ラック２から取り出す。
【００２２】
作業者は、取り出された栽培トレー４を搬送器具６に載せたままの状態で別の処理装置の栽培ラックに収納し替えたり、栽培の際に作業しやすいように栽培トレー４を搬送器具６から降ろしたりする。ここで、別の処理装置として例えば、供給する液肥の種類が異なる本実施形態と同様の植物栽培装置が考えられる。
【００２３】
ここで、栽培トレー４について図３を参照して説明する。栽培トレー４の板状の蓋体４ｂの両端寄りには、上から液肥パイプ８が差し込まれるパイプ差込孔４ｃが形成され、それらの間の領域には、栽培ポット９が嵌め入れられる複数のポット嵌入孔４ｄが長手方向に間隔をおいて形成されている。なお、液肥パイプ８は、配管設備の一例である。
【００２４】
栽培トレー４は、液肥を溜めたり流したりする桶のような栽培容器４ａと、栽培容器４ａの上部の開口を覆う蓋体４ｂとを有し、さらに蓋体４ｂには複数のポット嵌入孔４ｄ、パイプ差込孔４ｃが形成されている。ポット嵌入孔４ｄには、育苗された植物Ｓが植えられたコップ状の栽培ポット９が嵌め入れられる。栽培ポット９の上部の縁がポット嵌入孔４ｄの縁に引っかかるので、蓋体４ｂを持ち上げると、栽培ポット９も持ち上がることになる。
【００２５】
栽培ポット９は、図３に例示するように、上端に開口を有する有底円筒形状を有し、上端が下端より広いテーパー状の外周面を有している。その中には、所定期間で育苗された植物Ｓ、例えばレタス類の苗が植えられた培地となるスポンジ（不図示）が挿入される構造を有している。スポンジとして例えばキュービックウレタンスポンジが使用される。また、栽培ポット９の下部の周囲には植物の根がはみ出すことができる幅の縦長スリット９ａが周方向に複数形成され、さらに、その底部には複数の孔が（不図示）形成されている。
【００２６】
栽培トレー４の栽培容器４ａの一端寄りは、図２、図５の切り欠き断面で示すように、蓋体４ｂの一端側のパイプ差込孔４ｃに差し込まれる液肥パイプ８を通して液肥が供給される液肥供給領域４ｅとなる。また、栽培容器４ａの他端寄りの底部には、液肥排出管４ｆが形成されている。液肥排出管４ｆの上側には、栽培トレー４の栽培容器４ａ内の液肥が設定の高さを超えないように液量を調整する液量調整器１０が取り付けられている。液量調整器１０は、液量調整器１０の底から所定の高さを超えた領域には、縦長の複数の排液スリット１０ａが周方向に沿って形成されている。これにより、栽培トレー４の栽培容器４ａ内で設定高さに達した液肥Ｒが排液スリット１０ａを通して液量調整器１０の中に溢れて入り、その下の液肥排出管４ｆを通して下方に排出される。
【００２７】
栽培トレー４内には、水耕栽培のための液肥Ｒが流れている状態であり、上段の栽培トレー４から下段の栽培トレー４に向かって液肥Ｒを流すため、上段の栽培トレー４と下段の栽培トレー４とが液肥パイプ８で接続されている。
【００２８】
植物栽培装置１では、栽培している植物を、搬送器具６により栽培トレー４ごと栽培ラック２から、移動させる必要がある。例えば、液肥の種類を変えるために別の棚に移動したり、栽培の際に作業しやすいように栽培トレー４を棚から降ろしたりする場合である。
【００２９】
このような要請に応えるべく、植物栽培装置１に対して栽培トレー４を移動可能にするためには、液肥パイプ８を栽培トレー４に固定してしまうと邪魔になるため、液肥パイプ８と栽培トレー４とを簡単に分離できるようにしておくと都合がよい。さらに、複数の栽培トレー４間で液肥を飛び散らせずに循環させることと、栽培トレー４の移動時に容易に取り外せることの両立が必要である。このため、次に示すような構造の液肥パイプ８を採用する。
【００３０】
図４（Ａ）から図６を参照すると、液肥パイプ８は、上方から順に、カップ部８１、第１パイプ８２、第２パイプ８３及び第３パイプ８４を備える。第１パイプ８２、第２パイプ８３及び第３パイプ８４がパイプ部を形成している。
【００３１】
カップ部８１は、外筒部８１１と、この外筒部８１１内に収納され、上段の栽培トレー４の下部に設けられた液肥排出管４ｆが差し込まれる内筒８５を備えた、いわば二重構造となっている。カップ部８１は、外筒部８１１の下側に漏斗状部８１２を備える。内筒８５は、その下縁部８５ｂが漏斗状部８１２に接し、漏斗状部８１２に支持された状態で外筒部８１１内に収納されている。すなわち、漏斗状部８１２を備えることで、外筒部８１１よりも小径である内筒８５を外筒部８１１内に支持し、収納することができる。このような内筒８５の上縁部８５ａは、外筒部８１１の上縁部８１１ａよりも下方に位置している。
【００３２】
液肥排出管４ｆは、内筒８５に差し込まれているため、液肥Ｒが内筒８５外に飛散することもなく、液肥排出管４ｆから排出された液肥Ｒが付着するのは、内筒８５であり、外筒部８１１には、液肥Ｒは付着し難い。特に、内筒８５の上縁部８５ａは、外筒部８１１の上縁部８１１ａよりも下方に位置しているため、液肥Ｒは外筒部８１１の外側までは飛散し難い。このため、液肥Ｒが乾燥することによって生じる結晶も内筒８５に付着する。内筒８５に付着した結晶は、内筒８５の表面から剥がれ落ちる可能性があるが、内筒８５は、外筒部８１１内に収納されているため、外筒部８１１の外側に結晶が落下することも回避することができる。この結果、植物Ｓに液肥Ｒや、その結晶が付着することが回避される。
【００３３】
カップ部８１は、漏斗状部８１２の下側に接続部８１３を備える。接続部８１３には、接続部８１３よりも小径である第１パイプ８２が差し込まれている。接続部８１３と第１パイプ８２とは、接続部８１３の内周面８１３ａと第１パイプ８２の外周面８２ｂとの嵌め合いによって接続されている。接続部８１３には、図４（Ａ）及び図４（Ｂ）に示すように、支柱２ａから延びる取り付け具１１が装着される。これにより、液肥パイプ８が栽培ラック２に固定されている。
【００３４】
第１パイプ８２には、第１パイプ８２よりも小径である第２パイプ８３が差し込まれている。第１パイプ８２と第２パイプ８３とは、第１パイプ８２の内周面８２ａと第２パイプ８３の外周面８３ｂとの嵌め合いによって接続されている。
【００３５】
第２パイプ８３には、第３パイプ８４が遊嵌されている。すなわち、第３パイプ８４は、第２パイプ８３の外側で上下動自在に設けられている。このような第３パイプ８４は、図４（Ａ）で示すように、パイプ差込孔４ｃを通じて、栽培トレー４内に差し込まれる。そして、栽培トレー４を移動させるときには、図４（Ｂ）に示すように、第３パイプ８４は、上方に移動させる。
【００３６】
図４（Ａ）に示すように、栽培トレー４内に差し込まれた状態の第３パイプ８４は、先端部８４ｂが栽培トレー４の底面に接触することで、その位置を保っている。すなわち、自重により落下可能な状態の第３パイプ８４は、栽培トレー４によって支持されている。これに対し、図４（Ｂ）に示すように上方に移動した第３パイプ８４は、第１パイプ８２との嵌め合いによってその位置を保っている。ここで、図６を参照すると、第３パイプ８４の内周面８４ａには、内側に向かって突状とされた突起部８４ａ１が設けられている。突起部８４ａ１は、第１パイプ８２の外周面８２ｂに嵌合することで、第３パイプ８４が第１パイプ８２に固定された状態となる。このように、第３パイプ８４を第１パイプ８２に固定することができるので、栽培トレー４から抜き取った第３パイプ８４が落下することがない。この結果、栽培トレー４の移動作業が容易となる。
【００３７】
ここで、第３パイプ８４の先端部の形状について説明する。図６を参照すると、栽培トレー４内に差し込まれる第３パイプ８４の先端部８４ｂは、斜めに切断されている。これにより、第３パイプ８４の先端部が栽培トレー４の底面に接触した状態となっても、排出口が塞がれることがなく、液肥Ｒがスムーズに液肥パイプ８から下段の栽培トレー４内へ排出される。仮に、第３パイプ８４の先端部をその軸方向と直行する方向に切断した状態とすると、自重により栽培トレー４の底面に押し付けられる状態となる第３パイプ８４の排出口は、栽培トレー４の底面によって塞がれる状態なる。第３パイプ８４の排出口が塞がれた状態となると、第３パイプ８４内に液肥Ｒが溜まり、第３パイプ８４の上縁部から溢れることが想定される。そこで、本実施形態のように、第３パイプ８４の先端部８４ｂを斜めに切断しておけば、液肥Ｒが溢れることを回避することができる。
【００３８】
搬送器具６に載置された栽培トレー４は、図２に示したように、植物栽培装置１内で間隔をおいて上下に複数段で配置されるが、上下に隣り合う栽培トレー４の向きは、液肥供給領域４ｅと液量調整器１０の取り付け位置が左右逆になるように順に配置される。即ち、栽培トレー４の液肥供給領域４ｅと液量調整器１０の取り付け位置は１つおきに同じ向きとなる。そして、最も上の段の栽培トレー４の液肥供給領域４ｅには液肥供給装置（不図示）から液肥パイプ８を通して液肥Ｒが供給される。供給された液肥Ｒは、栽培トレー４内で設定の高さになると液量調整器１０の排液スリット１０ａを通してその下の液肥排出管４ｆに向けて漏れ出す。そして、液肥Ｒは、液肥排出管４ｆが差し込まれた液肥パイプ８を通して下段の栽培トレー４の液肥供給領域４ｅに供給される。このようにして、複数の段に配置された栽培トレー４に嵌め込まれた栽培ポット９で栽培される植物Ｓには液肥パイプ８を介して上から下に向けて順に液肥が送られ、十分な栄養素を含む液肥Ｒに常に交換されながら供給されることになる。
【００３９】
なお、最下段に取り付けられる栽培トレー４の液量調整器１０の下側に設けられた液肥排出管４ｆは、図２に示したように、排液回収管１４に接続されている。排液回収管１４を介して回収された液肥Ｒは再生処理装置（不図示）により処理が施されて再び液肥として最上段の栽培トレー４に供給される。
【００４０】
さて、植物に与える液肥の種類を、植物の生育段階に応じて変化させることがある。そこで、本実施形態の植物栽培装置１を２以上含む植物の水耕栽培システムとして、少なくとも２つの植物栽培装置１の間で供給する液肥の成分をそれぞれ異ならせ、一の植物Ｓに対して、育成段階の早い順に第１の液肥と第２の液肥を与える水耕栽培システムを実現できる。例えば、定植期の前記に第1の液肥を、定植期の後期に第２の液肥を与える水耕栽培システムを実現できる。
【００４１】
すなわち、図７に例示するように、第１の液肥供給系３１に接続された第１の植物栽培装置１Ａと、第２の液肥供給系３２に接続された第２の植物栽培装置１Ｂとを有する植物の水耕栽培システムを実現することができる。第１の液肥と第２の液肥とは成分が異なり、いずれか一方は水であっても良い。水の一例として、水道水や地下水が挙げられる。この場合、第１の植物栽培装置１Ａで育成させた植物Ｓを含む栽培トレー４を、第２の植物栽培装置１Ｂに移し替える必要が生じる。そこで、異なる成分の液肥が供給されている複数の植物栽培装置１Ａ、１Ｂ間で栽培トレー４を容易に移動可能にすることで、結果的に、一の植物Ｓに対して与える液肥の成分を変化させることができる。これにより、例えば、低カリウムの野菜を栽培することができる
【００４２】
図７に示すように、異なる成分の液肥を流している第１の植物栽培装置１Ａと第２の植物栽培装置１Ｂを１組として、複数並べると、第１通路Ａにいる作業者が、第１の液肥供給系３１に接続されている第１の植物栽培装置１Ａから、搬送器具６ごともしくは単体で栽培トレー４を取り出す。作業者は、取り出した栽培トレー４を、体Ｄの向きを反転して第１通路Ａの逆側にある第２の液肥供給系３２に接続されている第２の植物栽培装置１Ｂに取り付けることで、植物Ｓに与える液肥の変更作業が終了する。
【００４３】
この際、液肥パイプ８の第３パイプ８４を下段の栽培トレー４から抜き出し、抜き出した第３パイプ８４を第１パイプ８２に固定しておくことができるため、栽培トレー４の移動作業を容易に行うことができる。また、栽培トレー４を移動させる際、栽培トレー４が液肥パイプ８に接触することがあるが、液肥パイプ８の外周面には、液肥の結晶が付着していないため、結晶が植物Ｓに接触したり、結晶が植物Ｓ上に落下したりすることがない。
【００４４】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００４５】
１  植物栽培装置
２  栽培ラック
２ａ  支柱
３  栽培ユニット
４  栽培トレー
４ｃ  パイプ差込孔
４ｄ  ポット嵌入孔
４ｆ  液肥排出管
５  照明器具
６  搬送器具
８  液肥パイプ
８１  カップ部
８１１  外筒部
８１１ａ  上縁部
８１２  漏斗状部
８１３  接続部
８１３ａ  内周面
８２  第１パイプ
８２ａ  内周面
８２ｂ  外周面
８３  第２パイプ
８４  第３パイプ
８４ａ  内周面
８４ａ１  突起部
８４ｂ  先端部
８５  内筒
８５ａ  上縁部
８５ｂ  下縁部
９  栽培ポット
３１  第１の液肥供給系
３２  第２の液肥供給系
【図１】
2019208464.tif 000003
【図２】
2019208464.tif 000004
【図３】
2019208464.tif 000005
【図４】
2019208464.tif 000006
【図５】
2019208464.tif 000007
【図６】
2019208464.tif 000008
【図７】
2019208464.tif 000009